(57)【要約】【課題】  柱や壁やテーブルなどに立て掛けたとき安定して置くことができ且つ多少傾斜した状態で置いても滑りを無くして倒れるのを防止することのできる杖を提供する。【解決手段】  棒状の軸本体２と把持部３とを有する杖であって、前記把持部３には握り部３ａと軸方向の前記軸本体２を挟んで水平の湾曲部３ｃを有する突出部３ｂとを形成すると共に、前記軸本体２の軸方向下端部には前方後円型の石突き部４を形成する。石突き部としては、馬蹄形としても良いし、その他矩形や多角形としても良い。軸本体の一部または全体をらせん状や覆うように滑り防止材５を取り付けても良い。【選択図】    図１
2010042117.tif 000002
【特許請求の範囲】
【請求項１】
棒状の軸本体と把持部と石突き部とを有する杖であって、前記把持部には握り部と軸方向の前記軸本体を挟んで水平の湾曲部を有する突出部とを形成したことを特徴とする杖。
【請求項２】
棒状の軸本体と把持部と石突き部とを有する杖であって、前記軸本体の軸方向下端部には前方後円型の石突き部を形成したことを特徴とする杖。
【請求項３】
棒状の軸本体と把持部と石突き部とを有する杖であって、前記把持部には握り部と軸方向の前記軸本体を挟んで水平の湾曲部を有する突出部とを形成すると共に、前記軸本体の軸方向下端部には前方後円型の石突き部を形成したことを特徴とする杖。
【請求項４】
棒状の軸本体と把持部と石突き部とを有する杖であって、前記把持部は軸方向（縦方向）に半円形の曲率を有するものとし、かつ該半円形の把持部の背後には水平に湾曲する突出部を形成したことを特徴とする杖。
【請求項５】
棒状の軸本体と把持部と石突き部とを有する杖であって、前記把持部は軸方向（縦方向）に半円形の曲率を有するものとし、かつ前記軸本体の軸方向下端部には前方後円型の石突き部を形成したことを特徴とする杖。
【請求項６】
棒状の軸本体と把持部と石突き部とを有する杖であって、前記把持部は軸方向（縦方向）に半円形の曲率を有し、該半円形の把持部の背後には水平に湾曲する突出部を形成すると共に、前記軸本体の軸方向下端部には前方後円型の石突き部を形成したことを特徴とする杖。
【請求項７】
前記石突き部は、前方後円型に代えて馬蹄形型の石突き部としたことを特徴とする請求項２、３、５、６のいずれかに記載の杖。
【請求項８】
前記石突き部は、前方後円型に代えて矩形あるいは多角形の台部を備えた石突き部としたことを特徴とする請求項２、３、５、６のいずれかに記載の杖。
【発明の詳細な説明】
【技術分野】
【０００１】
本発明は、歩行の際に使用され、壁などに立て掛けて置いたとき、滑って転倒しないようにした杖に関する。
【背景技術】
【０００２】
高齢者や病人や負傷者などは、体を支えたり、転倒しないようにするために杖を使用して歩行したり或いは散歩したりしている。図１８に示すように、このような杖１０は、棒状の杖本体１０ａの下部にゴムなどの弾性材で覆った石突き１０ｃが取り付けられ、上端部の横方向に棒状の握り部１０ｂが取り付けられ、全体がほぼＴ字状に形成されたものであった。５は取付紐であり、通常、手をこの取付紐５に通して握り部１ｂを持って歩く。該杖１０は、杖本体部１０ａと握り部１０ｂとが金属やプラスチックや木などで製作され、それらの表面が平滑になっているため、杖１０の握り部１０ｂを壁Ｗや柱或いはテーブルの端部などに立て掛けようとしても、握り部１０ｂが壁面やテーブル端部を滑って図の矢印方向に傾斜し、倒れてしまうという不都合があった。そして、多くの場合、かかる杖１０を持つ人は、何らかの理由で身体が不自由な人が多く、倒れた杖１０を自分自身で拾うのは困難である、という問題もあった。
【０００３】
杖１０を立て掛けたとき、倒れる原因としては、杖自体が棒状であること、上部の握り部の重量が大きい。棒状の本体の握り部は、左右対称ょ位置に取り付けられていない。棒状の本体や握り部は金属やプラスチックが多い。先端の石突き部に取り付けられている滑り防止は小さな円形であり、立て掛けたときの接地面は点に近く倒れやすい。等が挙げられる。
【０００４】
上記理由から、倒れないようにした杖が多く考えられている。例えば、杖本体又は及び握り部の表面全体をビニールやエラストマーからなる滑り止め材で一体的に被覆して、当該杖１０を壁等に立て掛けても滑らないようにしたものが知られている（特許文献１）。
【０００５】
【特許文献１】特願２００６−２８０８３７号公報
【発明の開示】
【発明が解決しようとする課題】
【０００６】
しかしながら、上記特許文献１に記載の杖は、杖本体又は及び握り部の表面の前面に滑り止め部形成時に一体に被覆しているため、滑り止め材の形成が困難であるという問題があった。また、杖を立て掛ける壁や柱等の表面は平坦な面とは限らず、凸状であったり机の側面であったり様々な状態であり簡単には立て掛けられないものもある。さらに、滑り止め材が塩化ビニールやエラストマーからなるため、杖の握り部の材料は軟弾性に乏しいという問題もあった。
【０００７】
本考案は上記する課題に対処するためになされたせものであり、柱や壁やテーブルなどに立て掛けたとき安定して置くことができ且つ多少傾斜した状態で置いても滑りを無くして倒れるのを防止し、しかも滑り防止部を簡単に形成することのできる杖を提供すること目的としている。
【課題を解決するための手段】
【０００８】
即ち、上記課題を解決するために請求項１に記載の発明は、棒状の軸本体（２）と把持部（３）と石突き部（４）とを有する杖であって、前記把持部（３）には握り部（３ａ）と軸方向の前記軸本体を挟んで水平の湾曲部（３ｃ）を有する突出部（３ｂ）とを形成したことを特徴としている。
【０００９】
また、請求項２に記載の発明は、棒状の軸本体（２）と把持部（３）と石突き部（４）とを有する杖であって、前記軸本体の軸方向下端部には前方後円型の石突き部（４）を形成したことを特徴としている。
【００１０】
また、請求項３に記載の発明は、棒状の軸本体（２）と把持部（３）と石突き部（４）とを有する杖であって、前記把持部（３）には握り部（３ａ  ）と軸方向の前記軸本体（２）を挟んで水平の湾曲部（３ｃ）を有する突出部（３ｂ）とを形成すると共に、前記軸本体（２）の軸方向下端部には前方後円型の石突き部（４）を形成したことを特徴としている。
【００１１】
更に、請求項４に記載の発明は、棒状の軸本体（２）と把持部（３）と石突き部（４）とを有する杖であって、前記把持部（３）は軸方向（縦方向）に半円形の曲率を有するものとし、かつ該半円形の把持部（３）の背後には水平に湾曲する突出部（３ｂ）を形成したことを特徴としている。
【００１２】
更に、請求項５に記載の発明は、  棒状の軸本体（２）と把持部（３）と石突き部（４）とを有する杖であって、前記把持部（３）は軸方向（縦方向）に半円形の曲率を有するものとし、かつ前記軸本体（２）の軸方向下端部には前方後円型の石突き部（４）を形成したことを特徴としている。
【００１３】
更に、請求項６に記載の発明は、棒状の軸本体（２）と把持部（３）と石突き部（４）とを有する杖であって、前記把持部（３）は軸方向（縦方向）に半円形の曲率を有し、該半円形の把持部（３）の背後には水平に湾曲する突出部（３ｂ）を形成すると共に、前記軸本体（２）の軸方向下端部には前方後円型の石突き部（４）を形成したことを特徴としている。
【００１４】
更にまた、請求項７に記載の発明は、前記石突き部（４）は、前方後円型に代えて馬蹄形型の石突き部としたことを特徴としている。
【００１５】
更にまた、請求項８に記載の発明は、前記石突き部（４）は、前方後円型に代えて矩形あるいは多角形の台部（４ｂ）を備えた石突き部としたことを特徴としている。
【発明の効果】
【００１６】
本発明の杖を上記各請求項記載の手段とすれば、杖を壁面や柱やテーブルの端部に立て掛けたとき、平な壁面や円柱状の柱に立て掛けると、握り部の湾曲部の両端先端部が壁面や円柱状の柱の表面に同時に接触するので安定する（図１参照）。更に、杖本体の先端の石突き部が前方後円型や馬蹄形であるため端部が線接触して安定するのでより一層倒れにくくなる。また、本発明の杖を壁面や柱面に立て掛けたとき、杖が多少左右の横方向に倒れようとしても石突き部の床面と接する位置は、床面全体と線接触しているので、傾斜しにくく倒れ難い。よって杖は多少傾斜させて置いても安定的に置くことができる（図１６）。
【００１７】
次に、杖本体の下端の石突き部の角形の台部あるいは馬蹄形または矩形あるいは多角形である場合、やはり杖本体を傾斜させて壁や柱に立て掛けても台部のいずれかの面が地面と線接触するので安定的に立て掛けることが出来る。
また、杖本体の全体或いは一部にらせん状に滑り防止材を貼り付け、或いは杖本体の一部または全体を覆うように滑り防止材を貼り付けることにより、壁面や柱或いはテーブル端部に立て掛け壁面等と接したとき、杖先端部の角形や馬蹄形の台部とあいまってますます杖は倒れ難くなり、一層安定的に置くことができる（図１４）。低いテーブルに立て掛けた時にも同様である。このように本願発明の杖によれば、老人や病人或いは杖を必要とする人にとって倒れ難い杖となり、腰を屈めて倒れた杖を拾うことも殆どなくなり、置きやすくかつ取りやすい極めて便利な杖となる。尚、滑り防止材に発光剤を塗布したり、塗り込んでおけば夜間歩行の際の安全対策にもなる。
【発明を実施するための最良の形態】
【００１８】
以下、本発明の具体的な実施の形態について図面を参照しながら説明する。
図１は、本発明の第１の実施例の杖１の全体斜視図であり、図１（Ａ）は立て掛ける相手が柱である場合を示し、図１（Ｂ）は平らな側壁である場合を示す。図２は、本発明の杖の把持部の平面図であり、図３は本発明の杖の石突き部の平面図である。また、図４（Ａ）は、本発明の杖の上部付近の拡大斜視図であり、図４（Ｂ）は本発明の杖の石突き部の拡大斜視図である。
【００１９】
本発明の杖１は、棒状の軸本体２と、把持部３と、該軸本体２の先端部に設けた石突き部４と、より成る。前記把持部３は歩行者が手で持つ部分であるが、該把持部３には、握り部３ａと軸方向の前記軸本体２を挟んで水平の湾曲部３ｃを有する突出部３ｂとが形成される。尚、把持部３と握り部３ａとは殆ど「手で持つ」という意味では共通しているが、構成を説明する上で区別して説明する。握り部３ａは実際手が触れて握る部分である。前記突出部３ｂは前記握り部３ａと重量がほぼ均衡させることが好ましい。
【００２０】
本発明の杖１の上部に形成される把持部３は、図４に示すように、表面に曲率のある円形凸状の円柱Ｐに立て掛けたとき、水平の湾曲部３ｂが該円柱Ｐの表面の曲率に沿うか或いは図５（Ａ）に示すように湾曲部３ｃの両端部３ｄ、３ｅが円柱Ｐ表面に同時に接触するため安定的に立て掛けることができる。尚、図５（Ｂ）に示すように、突出部３ｂの湾曲部３ｃは、平な壁面Ｗに立て掛けてもその湾曲部両端部３ｄ、３ｅが同時に接触するため安定的に立て掛けることができる。図１（Ａ）或いは図４（Ａ）に示すように、把持部３の突出部３ｂには摩擦の大きいラバーＲで覆っても良い。
【００２１】
次に、前記軸本体２の軸方向下端部の石突き部４は、図３に示すように、一方が方形で、他方が円形とした所謂前方後円墳型（以下、前方後円型とする）に形成されている。該石突き部４の方形の端部４ｅ（説明の便宜上前方とする）は多少凹状としても良い。この場合、前方後円型に形成された石突き部４の中心線方向と、前記杖１の把持部３の中心線方向とは一致させるのが好ましい。石突き部４を前方後円型とすることにより、図１に示すように、杖１は円柱状の柱や凸状の表面のある壁面だけでなく、平面状の壁面でも安定的に立て掛けることができる。前記石突き部４の前方後円型としては、図６（Ａ）に示すように、前方が末広がり型でも良く、図６（Ｂ）に示すように、前方の側面が平行でもよく、或いは図６（Ｃ）に示すように若干前端部が凹状でもよい。
【００２２】
図７は、本発明の杖１のうち前記握り部３ａの無い把持部３を設けた変形実施例であって、把持部（握り部を兼ねる）３は軸方向（縦方向）に半円形の曲率を有するものとし、かつ該半円形の把持部３の背後には水平に湾曲する突出部３ｂが形成される。この水平に湾曲する突出部３ｂは別個に製作して把持部（握り部を兼ねる）３の曲率のある部分とは反対側に設けた凹部３ｆに嵌め込み接着剤等で接着して一体とする。
【００２３】
また、図８は図７と同様に前記把持部３には軸方向（縦方向）に半円形の曲率を有するものとし、かつ前記軸本体２の軸方向下端部に石突き部４設けかつ該石突き部４を「前方後円型」として形成した実施例である。
【００２４】
更に、図９は前記把持部３が軸方向（縦方向）に半円形の曲率を有するものとし、該半円形の把持部３の背後には水平に湾曲する突出部３ｂを形成し、前記軸本体２の軸方向下端部に石突き部４設け、該石突き部４を「前方後円型」として形成した実施例である。
【００２５】
上記図７、図９に示すように、把持部３の背後に水平の湾曲する突出部３ｂを形成すると、円柱状の表面に立て掛けても、平な壁面に立て掛けても安定的に置くことができて容易には倒れなくなる。特に、軸本体部２の下端部に前方後円型の石突き４を設けると、図８や図９に示すような石突き部４を有する杖１を立て掛けて傾斜させたとき地面と線接触するためより一層安定させて立て掛けることが出来る。
【００２６】
次に、図１０（Ａ）は、上記各実施例の把持部３を有する杖１の先端の前方後円型の石突き部４の代わりに馬蹄形の石突き部４１とした斜視図であり、図１０（Ｂ）は、矩形の石突き部４２とした斜視図であり、図１０（Ｃ）は台形の石突き部４３とした斜視図である。これらの各実施例において、軸本体２の把持部３には、握り部３ａと軸方向の前記軸本体２を挟んで水平の湾曲部３ｃを有する突出部３ｂとが形成される。或いは、把持部３は、半円形状として背後に水平に湾曲する突出部３ｂを形成する。尚、これら馬蹄形の石突き部４１や矩形の石突き部４２  台形の石突き部４３は、次に説明する石突き部を構成する台部４ｂに設ける。
【００２７】
図１１は、前記石突き部４の側面図である。該石突き部４は軸本体２の先端部を嵌合させる台形状の（但し，台形状でなくても良い）円筒体４ａと台部４ｂとで形成されるが、該台部４ｂを前方後円型とするものである。この台部４ｂは、図１１（Ａ）に示すように、下面全体が地面に接するようにしても良いし、図１１（Ｂ）に示すように、下面の一部（前部）に切欠４ｃを設けても良い。図８および図９等は、台部４ｂに切欠４ｃを設けた例として示してある。尚、前記円筒体４ａは石突き部４として必須のものではない。
【００２８】
上記各実施の形態において、石突き部４の形状は図３や図６或いは図１０で説明したが、これらに限らず例えば図１２（Ａ）、（Ｂ）に示すように、石突き部４の台部４ｂは五角形や六角形のものであっても良い。
【００２９】
また、軸本体２の材料はアルミ等の軽金属や合成樹脂材或いは木材や竹材等色々な材料を使用することができる。石突き部４の先端部は通常金属材を嵌め込んで摩耗しないようにしても良い。さらに、石突き部４の材料も金属類や合成樹脂材や木材や竹材等使用することができいるが、使用中小石や種々の突起物に当たる場合もあるので、ゴム等の弾性材を用いるのが好ましい。
【００３０】
図１３は、上記各実施例の杖において、軸本体２の先端石突き部４に、上記した前方後円型を形成したり、馬蹄形や矩形或いは台形、更に五角形や六角形のものを設けると共に、該軸本体２の一部（上部）または全体に滑り防止材５をらせん状に貼り付けた実施例を示している。このように、軸本体２に滑り防止材５を巻き付ければ、この部分が、図１４に示すように、テーブルや下駄箱のような低い台７の端部に立て掛ければ接触する部分との間の摩擦および石突き部４と地面との安定的接触により一層杖はたおれにくくなる。
【００３１】
図１５は、上記各実施例の杖において、軸本体２の先端部に、上記した形状の石突き部４を設けると共に、該軸本体２の一部または全体を覆うように滑り防止材５を貼り付けた実施例を示している。この場合も、滑り防止材５をらせん状に巻き付けた場合と同様に、滑り防止材５が前方後円型の石突き部４と協働して安定的接触により一層杖はたおれにくくなる。更に、上記各実施例において把持部３の突出部３ｂに摩擦の大きい滑り防止材を装着しても良い。
【００３２】
図１６は、本発明の杖１を壁面に横置きした場合の斜視図である。この図に示すように、本発明の杖１は、横向きに立て掛けても把持部３の壁面との接触部が多く、また、石突き部４も地面と線接触するので安定的に立て掛けることができて滑って倒れることが無い。
【００３３】
図１７（Ａ）は、本発明の杖１の把持部３に彫刻の飾り８を設け壁面に立て掛けた場合の斜視図を示し、図１７（Ｂ）は把持部３の平面図である。飾り８としては、鳥形でも良いし、牛の角のようなものでも良い。水平に湾曲した突出部３ｂとしての機能を有するものであれば種々のものが考えられる。このように種々の飾り８のある把持部３が設けられると、多数の杖が並べられても自分のものと他者のものとを簡単に区別することができるので、間違えられることがなくなり便利である。
【００３４】
尚、上記各実施例において把持部３や軸本体２あるいは石突き部４には、蛍光剤を塗布したり、練り込むと暗がりで自分の杖を見つけやすかったり、夜間歩行の際、歩行者がいることが判り易くなり、安全対策にもなる。
【図面の簡単な説明】
【００３５】
【図１】本発明の実施例の杖の全体斜視図であり、図１（Ａ）は立て掛ける相手が柱である場合の全体斜視図を示し、図１（Ｂ）は平らな側壁である場合の全体斜視図を示す。
【図２】本発明の杖の握り部の平面図である。
【図３】本発明の杖の石突き部の平面図である。
【図４】図４（Ａ）は、本発明の杖の上部付近の拡大斜視図であり、図４（Ｂ）は本発明の杖の石突き部の拡大斜視図である。
【図５】図５（Ａ）は、円柱状の表面に本発明の把持部の突出部を立て掛けて接触させた状態の平面図であり、図５（Ｂ）は、平な壁面に把持部の突出部を立て掛けて接触させた状態の平面図である。
【図６】本発明の杖の石突き部の種々の形状の平面図であり、図６（Ａ）は前方後円型の前方が末広がり型であることを示し、図６（Ｂ）は前方後円型の前方の側面が平行であることを示し、図６（Ｃ）は前方後円型の前方が末広がり型でかつ前端が若干凹状であることを示す図である。
【図７】本発明の杖のうち握り部の無い把持部を設けた変形実施例であって、把持部（握り部を兼ねる）が軸方向（縦方向）に半円形の曲率を有しかつ把持部の背後に水平に湾曲する突出部を設けた場合の実施例を示す図である。
【図８】本発明の杖の把持部は通常の曲がりを有するものとし、軸本体の軸方向下端部に前方後円型の石突き部を設けた全体斜視図である。
【図９】本発明の杖の把持部に半円の曲がりを有するものとし、該半円形の把持部の背後には水平に湾曲する突出部を形成し、軸本体の軸方向下端部に前方後円型の石突き部を設けた全体斜視図である。
【図１０】図１０（Ａ）は、本発明の把持部を有する杖の先端の前方後円型の石突き部として馬蹄形の石突き部とした斜視図であり、図１０（Ｂ）は、矩形の石突き部２とした斜視図であり、図１０（Ｃ）は台形の石突き部とした斜視図である。
【図１１】図１１（Ａ）は、本発明の杖の石突き部の側面図であり、図１１（Ｂ）は、石突き部を構成する台部の底面の一部に切欠を設けた場合の側面図である。
【図１２】本発明の変形実施例であり、図１２（Ａ）は石突き部として台部を五角形とした場合の平面図であり、図１２（Ｂ）は台部を六角形とした場合の平面図である。
【図１３】本発明の杖の軸本体上部に滑り防止材をらせん状に設けた場合の斜視図である。
【図１４】軸本体上部に滑り防止材をらせん状に設けた本発明の杖を低い台の端部に立て掛けた場合の斜視図である。
【図１５】本発明の杖の軸本体上部に滑り防止材を覆うように貼り付けた場合の斜視図である。
【図１６】本発明の杖を壁面に横置きした場合の斜視図である。
【図１７】図１７（Ａ）は、本発明の杖の把持部に彫刻の飾りを設け壁面に立て掛けた場合の斜視図を示し、図１７（Ｂ）は把持部の平面図である。
【図１８】従来の杖を壁に立て掛けた状態を示す斜視図である。
【符号の説明】
【００３６】
１    杖
２    杖の軸本体
３    把持部
３ａ  握り部
３ｂ  突出部
３ｃ  湾曲部
４    石突き部
４ａ  円筒部
４ｂ  台部
５    滑り防止材
【図１】
2010042117.tif 000003
【図２】
2010042117.tif 000004
【図３】
2010042117.tif 000005
【図４】
2010042117.tif 000006
【図５】
2010042117.tif 000007
【図６】
2010042117.tif 000008
【図７】
2010042117.tif 000009
【図８】
2010042117.tif 000010
【図９】
2010042117.tif 000011
【図１０】
2010042117.tif 000012
【図１１】
2010042117.tif 000013
【図１２】
2010042117.tif 000014
【図１３】
2010042117.tif 000015
【図１４】
2010042117.tif 000016
【図１５】
2010042117.tif 000017
【図１６】
2010042117.tif 000018
【図１７】
2010042117.tif 000019
【図１８】
2010042117.tif 000020